(57)【特許請求の範囲】
【請求項１】
開口窓部を開設した前面枠を有し、開口窓部に前面枠の裏側から遊技盤の遊技領域を臨ませ、
上記前面枠に発光源を設け、該発光源の前方をレンズ部材で覆った遊技機において、
上記前面枠は、合成樹脂によって成型され、上記開口窓部に沿って上横材及び左右の縦材を形成し、
上記上横部材は、背面壁の上下の縁から上水平壁と下水平壁をそれぞれ前方に延出して断面を略コ字状に成型することにより前面が開口した第１凹室を形成し、
上記左右の縦材は、背面壁の左右の縁から内側縦壁と外側縦壁をそれぞれ前方に延出して断面を略コ字状に成型することにより前面が開口した第２凹室をそれぞれ形成し、
上記第１凹室の左右端部に左右の第２凹室の各上端部分を連通して、下向き略コ字状の開口縁凹室を形成し、
該開口縁凹室を構成する各背面壁から支持部を前方へ複数突設し、該支持部の先端を同一平面に位置し、上記開口縁凹室内に下向き略コ字状の基板を装填し、該基板を上記支持部により支持し、
上記発光源は、上記基板上に間隔を置いて複数配置され、
上記開口縁凹室のうち基板の裏側を配線収納空部とし、該配線収納空部に発光源の配線を挿通して収納し、
上記レンズ部材は、上記開口縁凹室の前面開口部分の形状に応じて下向きの略コ字状に形成され、当該レンズ部材の後方に係止部材を突設し、該係止部材を上下の水平壁および内外の縦壁に形成された係合部材に係止したことを特徴とする遊技機。
【請求項２】
上記開口縁凹室内には、上記上下の水平壁の間および内外の縦壁の間に補強リブが一体成型され、該補強リブの前端縁に上記発光源の配線を通す配線通過切欠部が形成されたことを特徴とする請求項１に記載の遊技機。
【請求項３】
上記上横材の第１凹室は、上記上下の水平壁の突出長さを徐々に変化させることにより、中央部分から左右に離れるにしたがって前後深さを減少させるように構成され、
上記レンズ部材は、上記上横材の形状に応じて彎曲させたことを特徴とする請求項１または請求項２に記載の遊技機。
【発明の詳細な説明】
【０００１】
【産業上の利用分野】
本発明は、遊技盤を臨ませる開口窓部を開設した前面枠に装飾ランプ等を設けた遊技機に関するものである。
【０００２】
【従来の技術】
パチンコ機など従来の遊技機においては、開口窓部が開口した前面枠をベニヤ合板やプラスチックで構成し、この前面枠の表面にランプ表示器などの発光装飾装置を後から取り付けていた。
【０００３】
【発明が解決しようとする課題】
しかしながら、前面枠に後からランプ表示器などを取り付けると、ランプ表示器だけが目立ってしまい、前面枠とのデザイン的融合を図り難く、遊技機全体のデザインの自由度が少なかった。また、前面枠の表面にランプ表示器を後から取り付ける構成を採ると、ランプ表示器の前後寸法がそのまま前面枠前面からの突出寸法になってしまい、見た目にも不自然な凹凸感が残ってしまう。
【０００４】
また、開口窓部の開口縁に沿って長尺なランプ表示器を取り付けると、不自然な凹凸ができてしまうばかりでなく、ランプ表示器と制御装置との間を接続する配線を取り回すスペースの確保が困難であった。
【０００５】
さらには、ネオン管を発光源として使用しようとしても、トランスなどの駆動機器を収納するスペースが確保することができなかったので、ネオン管を発光源として使用することは事実上できなかった。
【０００６】
また、前面に平坦な面を有する前面枠をプラスチックによって成型すると、上記平坦面の裏側には補強用リブを一体成型する必要が有るので、リブを形成した部分の表面には硬化する際のヒケによる僅かな窪みが生じる。この僅かな窪みは、遊技店内の照明光を受けると、反射光が乱れて凹凸が誇張されて見栄えが悪い。
【０００７】
本発明は、上記した従来の前面枠の問題点を解消するために開発されたもので、装飾照明と前面枠とのデザイン上の融合を図ってデザインの自由度を高め、見た目に自然な印象を与えることができる遊技機を提供することを目的とする。
【０００８】
【課題を解決するための手段】
そこで、本発明は上記に鑑み提案されたもので、請求項１に記載のものは、開口窓部を開設した前面枠を有し、開口窓部に前面枠の裏側から遊技盤の遊技領域を臨ませ、
上記前面枠に発光源を設け、該発光源の前方をレンズ部材で覆った遊技機において、
上記前面枠は、合成樹脂によって成型され、上記開口窓部に沿って上横材及び左右の縦材を形成し、
上記上横部材は、背面壁の上下の縁から上水平壁と下水平壁をそれぞれ前方に延出して断面を略コ字状に成型することにより前面が開口した第１凹室を形成し、
上記左右の縦材は、背面壁の左右の縁から内側縦壁と外側縦壁をそれぞれ前方に延出して断面を略コ字状に成型することにより前面が開口した第２凹室をそれぞれ形成し、
上記第１凹室の左右端部に、左右の第２凹室の各上端部分を連通して、下向き略コ字状の開口縁凹室を形成し、
該開口縁凹室を構成する各背面壁から支持部を前方へ複数突設し、該支持部の先端を同一平面に位置し、上記開口縁凹室内に下向き略コ字状の基板を装填し、該基板を上記支持部により支持し、
上記発光源は、上記基板上に間隔を置いて複数配置され、
上記開口縁凹室のうち基板の裏側を配線収納空部とし、該配線収納空部に発光源の配線を挿通して収納し、
上記レンズ部材は、上記開口縁凹室の前面開口部分の形状に応じて下向きの略コ字状に形成され、当該レンズ部材の後方に係止部材を突設し、該係止部材を上下の水平壁および内外の縦壁に形成された係合部材に係止したことを特徴とする遊技機である。
【０００９】
請求項２に記載のものは、上記開口縁凹室内には、上記上下の水平壁の間および内外の縦壁の間に補強リブが一体成型され、該補強リブの前端縁に上記発光源の配線を通す配線通過切欠部が形成されたことを特徴とする請求項１に記載の遊技機である。
【００１０】
請求項３に記載のものは、上記上横材の第１凹室は、上記上下の水平壁の突出長さを徐々に変化させることにより、中央部分から左右に離れるにしたがって前後深さを減少させるように構成され、
上記レンズ部材は、上記上横材の形状に応じて彎曲させたことを特徴とする請求項１または請求項２に記載の遊技機である。
【００１１】
【作用】
遊技機の前面枠を合成樹脂製としたことにより、前面枠には、前面が開口した開口縁凹室を形成でき、該開口縁凹室内に発光源を収納し、該発光源の前方にレンズ部材を配置して該レンズ部材により開口縁凹室の発光源近傍の前面開口部分を塞いだので、前面枠の表面には不自然な突出物がなくなる。
また、開口縁凹室を構成する各背面壁から支持部を前方へ複数突設し、該支持部の先端を同一平面に位置し、開口縁凹室内に下向き略コ字状の基板を装填し、該基板を支持部により支持し、発光源は、基板上に間隔を置いて複数配置され、開口縁凹室のうち基板の裏側を配線収納空部とし、該配線収納空部に発光源の配線を挿通すると、レンズ部材をクリア（透明）材で成形しても、表側からは配線が基板によって隠されるので、体裁を損なうことがない。
【００１２】
そして、開口縁凹室内には、上下の水平壁の間および内外の縦壁の間に補強リブが一体成型され、該補強リブの前端縁に上記発光源の配線を通す配線通過切欠部が形成されているので、補強リブにより十分な強度を確保でき、また、配線の取り廻しが容易となる。
【００１３】
【実施例】
以下、本発明の実施例を図面にもとづいて説明する。
図１は、代表的な遊技機であるパチンコ機１の斜視図である。このパチンコ機１は、前後が開放した機枠（外枠）２の一側に額縁状の前面枠３を上下の蝶番４によって開閉可能な状態で取り付け、前面枠３に開設した開口窓部５の前面側にはガラス枠６と開閉パネル７をそれぞれ開放可能な状態で取り付け、前面枠３の裏側には遊技盤８を装着し、該遊技盤８の表面に形成した遊技領域９を上記開口窓部５及びガラス枠６のガラス面に裏側から臨ませ、開閉パネル７の表面側には球供給皿１０を設け、前面枠３の下部には下皿１１と打球発射操作ハンドル１２を設けてある。なお、図１中、１３はプリペイドカードを挿入するカード挿入口であり、このカード挿入口１３にカードを挿入してから球供給皿１０の球貸し操作釦１４を操作すると、パチンコ機１の球排出装置が作動し、カードに記録されている有価価値の範囲内で、遊技球が貸し出されて球供給皿１０に排出される。
【００１４】
前面枠３は、ＡＢＳ樹脂等の強靭で耐熱性のある合成樹脂により成型した矩形の枠体であり、中央部分に大きな矩形の開口窓部５を開設してある。そして、この前面枠３を構成する上横材３ａには前面が開口した凹室１５ａ（本発明における第１凹室に相当）を開口窓部５の開口縁に沿って細長く形成し、左右の縦材３ｂ，３ｃの上半部分には前面が開口した凹室１５ｂ，１５ｃ（本発明における第２凹室に相当）を開口窓部５の開口縁に沿って細長く形成する。上横材３ａに形成する凹室１５ａは、図３（Ａ）および図３（Ｂ）に示すように、背面壁１６の上下の縁から上水平壁１７と下水平壁１８をそれぞれ前方に延出して断面を略コ字状に成型することにより形成され、背面壁１６からランプ基板１９を支持する柱状の支持部２０を前方に突設し、上水平壁１７の下面と下水平壁１８の上面、即ち両水平壁１７，１８の内面にはレンズ部材２１の係止部材２２が係止する係合部材２３を突設する。
【００１５】
また、本実施例では前面枠３の上横材３ａの中央部分を最も前方に突出せしめて左右に離れるにしたがって突出長さを短縮するデザインを採用しているので、図１及び図２に示すように、上下の水平壁１７，１８の突出長さを徐々に変化させて前面枠３の前後方向の厚さに変化を与え、これに伴って凹室１５ａの前後深さも中央部分が深くして左右に離れるにしたがって深さを徐々に減少するように形成してある。また、上下の水平壁部１７，１８の間には、適宜な間隔で補強リブ２４を一体成型し、該補強リブ２４の前端縁には、配線を通す配線通過切欠部２５を形成してある。したがって、前面枠３の上横材３ａは、凹室１５ａを形成した中空の部材であっても、補強リブ２４によって十分な強度を確保している。なお、凹室１５ａを囲む上下の水平壁１７，１８及び背面壁１６の厚みを十分に取ることにより、必要な強度を確保するように構成してもよい。
【００１６】
左右の縦材３ｂ，３ｃに形成する凹室１５ｂ，１５ｃは、図４に示すように、背面壁１６の左右の縁から内側縦壁２６と外側縦壁２７をそれぞれ前方に延出して断面を略コ字状に成型することにより形成され、背面壁１６からランプ基板１９を支持する支持部２０を前方に突設し、内外の縦壁２６，２７の内面にはレンズ部材２１の係止部材２２が係止する係合部材２３を突設する。また、本実施例では前面枠３の上横材３ａの左右端部の前端に左右の縦材３ｂ，３ｃの前端の位置を揃えたデザインを採用しているので、内側と外側の縦壁２６，２７の突出長さはすべて同じであり、これに伴って凹室１５ｂ（１５ｃ）の前後深さも同じである。
【００１７】
また、内側と外側の縦壁２６，２７の間には、上横材３ａと同様に、適宜な間隔で補強リブを一体成型し、該補強リブの前端縁には、配線を通す配線通過切欠部を形成してもよい。したがって、左右の縦材は２６，２７、凹室１５ｂ（１５ｃ）を形成した中空の部材であっても、十分な強度を確保してある。なお、凹室１５ｂ（１５ｃ）を囲む左右の縦壁２６，２７及び背面壁１６の厚みを十分に取ることにより、必要な強度を確保するように構成してもよい。また、上横材３ａ及び左右の縦材３ｂ，３ｃの各凹室１５ｂ，１５ｃ内に突設した支持部２０の先端は同一平面に位置する様に、即ち先端の位置を揃えることが望ましい。
【００１８】
また、図面に示す実施例では、上横材３ａに形成した凹室１５ａの左右端部に、左右の縦材３ｂ，３ｃに形成した凹室１５ｂ（１５ｃ）の各上端部分を連通してある。したがって、凹室１５ａ，１５ｂ，１５ｃ（本発明における開口縁凹室に相当）は、全体として開口部分が下向きの略コ字状（門形）となって開口窓部５の上方および左右に位置している。
【００１９】
なお、上横材３ａおよび左右の縦材３ｂ，３ｃの凹室１５ａ，１５ｂ，１５ｃ内に補強リブ２４を形成しても、補強リブ２４に交差する面が前面枠３の前面に位置していないので、補強リブ２４の基端にプラスチック冷却硬化時のヒケが発生したとしても、このヒケはパチンコ機１の前面から見えることがない。したがって、補強リブ２４を設けても、ヒケによる窪みが店内照明の光で目立つこともなく、体裁を損なうことを防止できる。
【００２０】
上記した凹室１５ａ内に設ける発光源は、その大きさが許せばどのような構造或は形式のものでもよい。図面に示す実施例ではランプ３０を発光源として使用し、ランプ３０のソケット３１をランプ基板１９に所定間隔で止着し、ランプ基板１９を開口部が下向きの略コ字状（門形）に形成して、発光源をユニット化してある。したがって、このランプ基板１９を凹室１５ａ，１５ｂ，１５ｃ内に装填して、ランプ基板１９のねじ孔３２内にビスを通して該ビスを凹室１５ａ内の支持部２０の先端に螺合すると、ランプ基板１９を凹室１５ａ，１５ｂ，１５ｃ内に収納した状態で固定することができる。そして、各ランプ３０の配線を、配線収納空部として機能する凹室１５ａ，１５ｂ，１５ｃ内に収納することができ、この様にして配線処理した配線の端部を、前面枠３の背面壁１６の穴に通して前面枠３の裏側に引きだし、配線の端部に設けたコネクタを、ランプ３０の点灯・点滅を制御する制御装置、例えば遊技盤８の遊技領域９に設けた入賞装置を制御する遊技用制御装置に接続する。
【００２１】
なお、ランプ基板１９は、発光源であるランプ３０を支持することができればよく、本実施例の様に、上横材３ａの凹室１５ａの深さが変化していても、この深さに応じて彎曲させる必要がなく、同一平面上に位置する基板でよい。また、ランプ３０用の配線３３は、図面に示すように、各ランプ３０に接続するリード線であってもよいし、或はランプ基板１９にプリント配線してもよく、いずれにあっても制御装置との間はリード線を用いて電気的に接続する。
【００２２】
この様にして凹室１５ａ，１５ｂ，１５ｃ内に収納したランプ３０の前方にレンズ部材２１を配置してランプ３０の前方を覆うと共に、このレンズ部材２１によって発光源であるランプ３０近傍の凹室１５ａ，１５ｂ，１５ｃの前面開口部を塞ぐが、本実施例ではレンズ部材２１により凹室１５ａ，１５ｂ，１５ｃの前面開口部をすべて閉塞する。したがって、本実施例におけるレンズ部材２１は、凹室１５ａ，１５ｂ，１５ｃの前面開口部分の形状及び大きさに応じて、全体を開口部が下向きの略コ字状（門形）に形成してある。
【００２３】
このレンズ部材２１は、透光性を有するプラスチック製の板材であり、適宜な着色を施すとともに、ダイヤカットなど適宜に細かな凹凸を形成したり、或は図面に実施例の様に、膨出部３４を形成するなどして装飾性を高めることが望ましく、裏面には、先端に係止爪を有する係止部材２２を突設してある。また、本実施例では、前面枠３の上横材３ａの中央部分を前方に徐々に突出させてあるのでレンズ部材２１も、前面枠３の形状に応じて前方に突出するように彎曲させる。なお、レンズ部材２１は透光性を有していればどのような構成でもよく、単なる平らな透光性プラスチック板であってもよい。
【００２４】
レンズ部材２１を前面枠３に取り付けるには、レンズ部材２１の裏面から後方に突設した係止部材２２を凹室１５ａ，１５ｂ，１５ｃ内に進入させ、この状態でレンズ部材２１が前面枠３に当接するまで十分に押圧すると、先端の係止爪が前面枠３側の係合部材２３に係合し、これによりレンズ部材２１を前面枠３の前面に止着することができる。この様にして、レンズ部材２１を前面枠３に止着すると、前面枠３に形成した凹室１５ａ，１５ｂ，１５ｃの前面開口部分がレンズ部材２１によって閉塞される。
【００２５】
また、前面枠３の自由端側の縦材３ｃには、前面枠３やガラス枠６の閉止状態を保持（ロック）する前面枠３の厚さ方向に貫通させてシリンダー錠などの鍵３５を設ける。なお、図５に示すように、前面枠３の背面壁１６から前方に向けて筒部３６を立設し、この筒部３６内に鍵３５を収納した状態で取り付けてもよい。そして、この鍵３５は前面枠３の前後の一般的な厚さよりも長いので、従来の木製前面枠３にあっては鍵３５の前端部分が前面枠３の表面から突出してしまうが、本実施例ではレンズ部材２１の厚さを膨出部３４を形成するなどして増すことができる。
【００２６】
したがって、鍵３５を設ける位置に対応するレンズ部材２１の部分に貫通空部３７として切欠部あるいは貫通孔を形成し、この貫通空部３７内に鍵３５の前部を臨ませて（収納して）、鍵３５の前面部分をレンズ部材２１の表面とほぼ面一にすることができる。このように、鍵３５の前面部分をレンズ部材２１の貫通空部３７内に臨ませると、鍵３５の突出部分をレンズ部材２１によって装飾することができる。このため、鍵飾り部材を別途取り付ける必要が無くなり、体裁も良くなる。
【００２７】
上記したようにして前面枠３の前後厚みの内部に凹室１５ａ，１５ｂ，１５ｃを形成し、この凹室１５ａ，１５ｂ，１５ｃ内に装飾照明として機能するランプ３０（発光源）を収納し、このランプ３０の前方にレンズ部材２１を配置してランプ３０の前方を覆うばかりでなく凹室１５ａ，１５ｂ，１５ｃの前面開口部分をレンズ部材２１によって塞ぐと、ランプ３０を点灯或は点滅することにより、遊技領域９を上部と左右両側から囲むようにしてランプ３０の発光によって光学的に装飾することができる。
【００２８】
したがって、当該パチンコ機１で遊技を行なっている遊技者ばかりでなく、周りの人に対しても、極めて高い装飾効果を期待することができる。また、発光源を前面枠３の前後厚さ内に形成した凹室１５ａ，１５ｂ，１５ｃ内に収納することができ、しかも前面枠３がプラスチック製であって成型形状を木製に比較すれば遥かに自由にデザインすることができるので、ランプ３０、ランプ基板１９、レンズ部材２１を総合した照明装置が不自然に突出することもないし、後付け感も解消することができ、ランプ表示装置と前面枠３とを融合したトータルデザインが可能であり、体裁が良くなる。
【００２９】
また、機能的には、凹室１５ａ，１５ｂ，１５ｃを配線収納空部として機能させることができ、配線処理を合理的に且つ体裁良く行なうことができる。さらに、配線３３をランプ基板１９の裏側に通すと、レンズ部材２１をクリア（透明）材で成形しても、表側からは配線３３がランプ基板１９によって隠されるので、体裁を損なうことがなく、特に配線３３を色分けした場合に顕著である。
【００３０】
なお、上記した実施例では、一枚の略コ字状のレンズ部材２１を前面枠３の凹室１５ａ，１５ｂ，１５ｃの前面開口部分に被せて該前面開口部分をすべて閉塞するように構成したが、レンズ部材２１を複数に分割して、各ランプ３０の前方に分割したレンズ部材２１を配置し、当該ランプ３０近傍の前面開口部分を塞ぎ、空いた部分には別個に形成した蓋部材（図示せず）を被せて凹室１５の前面開口部分を塞いでも良い。また、ランプ基板１９も、同様に、一枚ものに限らず、複数に分割したものでもよい。ランプ基板１９を複数に分割すると、ランプ基板１９の間に補強リブ２４を配置することができるし、補強リブ２４の前端を凹室１５の開口部分まで延出することができ補強効果を高めることができる。
【００３１】
また、ランプ基板１９やレンズ部材２１を前面枠３に止着する手段は、前記ビス止めや係合爪の係合に限定されるものではなく、ファスナーなど公知の止着手段を適宜に使用して止着することができる。
【００３２】
また、本発明における前面枠３の凹室１５は開口窓部５の開口縁に沿って細長く形成することができるので、ネオン管や蛍光灯の様に長尺な発光源であっても凹室１５内に収納して取り付けることができる。特に、上横材３ａに形成する凹室１５ａは左右に長く形成することができるし、また、前後の奥行きも上下の水平壁部の突出長さを増加することにより大きく設定でき、さらには光学的装飾を施した場合に目立つ位置なので、ネオン管の様な長尺な発光源を設ける場所として最適である。しかも、ネオン管に高圧電流を供給するトランスなどのネオン管用の駆動機器も凹室１５内に配設することができる。
【００３３】
したがって、本発明では前面枠３に形成した凹室１５ａ内にネオン管とその駆動機器を配設し、ネオン管の前方にレンズ部を配置して該レンズ部材２１により凹室１５ａの前面開口部分を塞ぐことができる。そして、このネオン管を点灯すると、ランプ３０の光とは異なる特性の光によってレンズ部材２１を光らせることができる。このため、ランプ表示装置とは趣の異なる光学的装飾が可能である。
【００３４】
なお、ランプ３０やネオン管などの発光源を前面枠３の凹室１５内に設ける場合、ランプ基板１９等の基板を必ずしも設ける必要はない。例えば、図６に示すように、前面枠３の凹室１５ａを形成している背面壁１６に貫通穴を開設し、この貫通穴内に、外周縁に嵌合溝を形成したゴム製の短尺筒状取付部材３８を嵌合し、この取付部材３８にランプ３０を通すなどして取り付けてもよい。この実施例においては、背面壁１６を少し前方に配置して背面壁１６の裏側に配線収納空部３９を形成し、この配線収納空部３９内に上記ランプ３０の配線３３を収納するように構成してもよい。
【００３５】
また、本発明は、上記したパチンコ機１に限らず、雀球式遊技機やアレンジボール式遊技機などの遊技機であってもよい。
【００３６】
【発明の効果】
以上説明したように本発明によれば、以下に述べる効果を奏する。
すなわち、前面枠を合成樹脂製としたことにより、前面枠には、前面が開口した開口縁凹室を形成でき、該開口縁凹室内に発光源を収納し、該発光源の前方にレンズ部材を配置して該レンズ部材により上記開口縁凹室の発光源近傍の前面開口部分を塞いだので、前面枠の表面には不自然な突出物がなくなり、装飾ランプ等を後付けした不自然さも解消することができ、装飾照明の部材と前面枠とが融合したトータルデザインが可能となり、遊技機の美観を向上させることができる。
また、開口縁凹室を構成する各背面壁から支持部を前方へ複数突設し、該支持部の先端を同一平面に位置し、開口縁凹室内に下向き略コ字状の基板を装填し、該基板を支持部により支持し、発光源は、基板上に間隔を置いて複数配置され、開口縁凹室のうち基板の裏側を配線収納空部とし、該配線収納空部に発光源の配線を挿通すると、レンズ部材をクリア（透明）材で成形しても、表側からは配線が基板によって隠されるので、体裁を損なうことがない。
【００３７】
そして、開口縁凹室内には、上下の水平壁の間および内外の縦壁の間に補強リブが一体成型され、該補強リブの前端縁に上記発光源の配線を通す配線通過切欠部が形成されているので、補強リブにより十分な強度を確保でき、また、配線の取り廻しが容易となる。また、開口縁凹室と補強リブとの交差する面が前面枠の前面にないので、補強リブの基端にプラスチック冷却硬化時のヒケが発生したとしても、このヒケは前面から見えない。したがって、ヒケによる窪みが店内照明の光で目立つこともなく、体裁を損なうことを防止できる。
【図面の簡単な説明】
【図１】  パチンコ機の斜視図である。
【図２】  前面枠の拡大分解斜視図である。
【図３】  （Ａ）は上横材の前後長さを短く設定した左右部分の断面図、（Ｂ）は上横材の前後長さを長く設定した中央部分の断面図である。
【図４】  前面枠の左縦材の断面図である。
【図５】  鍵を設けた部分の前面枠の断面図である。
【図６】  ランプの他の取り付け構成を示す前面枠の上横材の断面図である。
【符号の説明】
１  パチンコ機
２  機枠
３  前面枠
４  蝶番
５  開口窓部
６  ガラス枠
７  開閉パネル
８  遊技盤
９  遊技盤の遊技領域
１５  凹室
１５ａ  上横材の凹室
１５ｂ  左縦材の凹室
１５ｃ  右縦材の凹室
１６  前面枠の背面壁
１７  上水平壁
１８  下水平壁
１９  ランプ基板
２０  ランプ基板用の支持部
２１  レンズ部材
２２  係止部材
２３  係合部材
２４  補強リブ
２５  配線通過切欠部
２６  内側縦壁
２７  外側縦壁
３０  発光源としてのランプ
３１  ソケット
３３  配線
３４  レンズ部材の膨出部
３５  鍵
３６  筒部
３７  貫通空部
【図１】
0003753450.tif 000002
【図２】
0003753450.tif 000003
【図３】
0003753450.tif 000004
【図４】
0003753450.tif 000005
【図５】
0003753450.tif 000006
【図６】
0003753450.tif 000007